【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
ガスフラックスを特定する方法であって：
フローセルを通してガスを流す工程であって、長さが2メートル未満のガス吸気路に沿って大気からガスを受けるフローセルを含む、工程；
該フローセルの近位の空気の温度を測定する工程；
該フローセル中の水蒸気レベルを測定する工程；
該フローセルの近位の大気の圧力を測定する工程であって、温度と圧力の測定が約1.0Hz以上の頻度で行われる、工程；
温度、水蒸気レベル、および圧力に少なくとも基づいて乾燥モル分率値を特定する工程；および
水蒸気、温度、および圧力に由来する蓄積効果について補正せずに、乾燥モル分率に基づいてガスフラックスを特定する工程
を含む方法。
【請求項２】
ガス吸気路が1メートル未満である、請求項1記載の方法。
【請求項３】
ガス吸気路がフローセルの入口ポートに接続されたガス吸気管を含み、ガス吸気管が2メートル未満の長さである、請求項1記載の方法。
【請求項４】
空気の温度がフローセル中で測定される、請求項1記載の方法。
【請求項５】
フローセル中の第二の温度を測定する工程をさらに含み、乾燥モル分率が前記第二の温度にさらに基づいている、請求項4記載の方法。
【請求項６】
水蒸気レベルを測定する工程がフローセル内の光吸収率を測定することを含み、前記水蒸気レベルが少なくとも前記吸収率に基づいている、請求項1記載の方法。
【請求項７】
圧力がフローセル内の場所で測定される、請求項1記載の方法。
【請求項８】
ガス分析システムであって：
入口ポートから出口ポートへと中をガスが流れるフローセルであって、入口ポートが2メートル未満の長さのガス吸気路と流体連通している、フローセルと；
該フローセルを通して光を伝送するように構成された光源と；
該フローセル中のガスの成分による光吸収率を表す吸収率信号を出力するように構成された検出器サブシステムと；
該フローセルの近位の、かつ約1.0Hz以上の頻度でガスの温度を測定するように構成された、第一温度センサーと；
該フローセルの近位の、かつ約1.0Hz以上の頻度で圧力を測定するように構成された、圧力センサーと；
該第一温度センサー、該圧力センサー、および該検出器サブシステムに連結されたインテリジェンスモジュールであって、吸収率信号と、ガスの圧力および温度の測定値とに基づいて、ガスの該成分の乾燥モル分率を特定するように適合され、水蒸気、温度、および圧力に由来する蓄積効果についての補正を欠いた乾燥モル分率に基づいてガスフラックスを特定ようにさらに適合された、インテリジェンスモジュールと
を備える、システム。
【請求項９】
ガス吸気路がガス吸気管を含む、請求項8記載のシステム。
【請求項１０】
ガス吸気路が1メートル未満の長さである、請求項8記載のシステム。
【請求項１１】
第一温度センサーがフローセル中を流れているガスの温度を測定するように構成されている、請求項8記載のシステム。
【請求項１２】
フローセル中を流れているガスの第二の温度を測定する第二温度センサーをさらに含み、前記乾燥モル分率がさらにガスの第二の温度に基づく、請求項11記載のシステム。
【請求項１３】
圧力がフローセル内の場所に配置される、請求項8記載のシステム。
【請求項１４】
ガス分析器のフローセル中のガスの成分の乾燥モル分率を測定するための方法であって：
該フローセルを通してガスを流す工程；
該フローセル中のガスの成分の光吸収率を測定する工程；
該フローセルの近位のガスの温度T1を測定する工程；
該フローセルの近位の場所で圧力Pを測定する工程であって、温度T1と圧力Pの測定が約1.0Hz以上の頻度で行われる、工程；およびその後
測定された吸収率、P、およびT1に基づいて、ガスの成分の乾燥モル分率を特定する工程
を含む方法。
【請求項１５】
吸収率を測定する工程が：
既知の波長域を有する光を、フローセルを通して伝送する工程；
伝送された光を検出器で受ける工程；および
伝送された光の、ガス成分による吸収率を特定する工程
を含む、請求項14記載の方法。
【請求項１６】
伝送する工程が、広い波長域または狭い波長域を有する光を、狭い帯域通過のフィルターを通して伝送する工程であって、狭い通過帯域のフィルターは既知の波長域の光の大部分を通過させる、工程を含む、請求項15記載の方法。
【請求項１７】
フローセルを通して流れているガスの温度T2を測定する工程をさらに含み、ここでT1はフローセルの入口ポートの近位を流れるガスの温度でありかつT2はフローセルの出口ポートの近位のガスの温度である、請求項14記載の方法。
【請求項１８】
乾燥モル分率を特定する工程が、入口ポートおよび出口ポートから受け取った温度信号の、空間的分離に起因する遅延を補正する工程を含み、該遅延が、フローセル内のガスの流率の関数である、請求項17記載の方法。
【請求項１９】
T1およびPの測定が、お互いに約0.2秒以内に行われる、請求項14記載の方法。
【請求項２０】
T1、T2、およびPの測定が、約1.0Hz以上の頻度で行われる、請求項17記載の方法。
【請求項２１】
測定値Pがフローセル内の場所で測定される、請求項14記載の方法。
【請求項２２】
測定値Pが、平均圧力または差圧のうちの一方である、請求項14記載の方法。
【請求項２３】
ガス分析システムであって：
入口ポートから出口ポートへと中をガスが流れるフローセルと；
該フローセルを通過して光を伝送するように構成された光源と；
該フローセル中のガスの成分による光吸収率を表す吸収率信号を出力するように構成された検出器サブシステムと；
約1.0Hz以上の頻度で該フローセルの近位のガスの温度を測定するように構成されている第一温度センサーと；
該フローセルの近位でかつ約1.0Hz以上の頻度で圧力を測定するように構成されている圧力センサーと；
該第一温度センサー、該圧力センサー、ならびに該検出器サブシステムに連結されたインテリジェンスモジュールであって、吸収率信号と、ガスの圧力および温度の測定値とに基づいて、ガスの成分の乾燥モル分率を特定するように適合された、インテリジェンスモジュールと
を備える、システム。
【請求項２４】
フローセルが、光源と検出器サブシステムとの間に、取り外し可能に接続されている、請求項23記載のシステム。
【請求項２５】
第二温度センサーをさらに含み、第一温度センサーはフローセルの入口ポートの近位に配置され、かつ第二温度センサーはフローセルの出口ポートの近位に配置され、インテリジェンスモジュールは第一および第二温度センサーによる温度測定に基づきガスの成分の乾燥モル分率を特定するようにさらに適合されている、請求項23記載のシステム。
【請求項２６】
インテリジェンスモジュールが、第一および第二温度センサーの間の空間的分離に起因する、第一および第二温度センサーから受け取った温度測定の遅延を補正するようにさらに適合されており、該遅延が、フローセル内のガスの流率の関数である、請求項25記載のシステム。
【請求項２７】
第一および第二温度センサーのそれぞれが、入口および出口ポートによって画定される流路の中心点に位置する熱電対を備える、請求項25記載のシステム。
【請求項２８】
圧力センサーがフローセル内の場所でガスの圧力を測定するように構成されている、請求項23記載のシステム。
【請求項２９】
ガスの圧力および温度の測定が、お互いに約0.2秒以内に行われる、請求項23記載のシステム。
【請求項３０】
ガスの圧力および温度の測定が、約1.0Hz以上の頻度で行われる、請求項25記載のシステム。
【請求項３１】
システムの他の構成要素からフローセルの少なくとも一部を絶縁するように構成された熱絶縁性スリーブをさらに備える、請求項23記載のシステム。
【請求項３２】
ガス分析器のフローセル中のガスの成分の乾燥モル分率を測定するための方法であって：
該フローセルを通してガスを流す工程；
該フローセル中のガスの成分の光吸収率を測定する工程；
約1.0Hz以上の頻度で該フローセルの近位のガスの温度T1を測定する工程；
該フローセルの近位の場所で圧力Pを測定する工程；およびその後
測定された吸収率、P、およびT1に基づいて、ガスの成分の乾燥モル分率を特定する工程
を含む方法。
【請求項３３】
ガスフラックスを特定する方法であって：
フローセルを通してガスを流す工程であって、長さが2メートル未満のガス吸気路に沿って大気からガスを受けるフローセルを含む、工程；
約1.0Hz以上の頻度で該フローセルの近位の空気の温度を測定する工程；
該フローセル中の水蒸気レベルを測定する工程；
該フローセルの近位の大気の圧力を測定する工程；
温度、水蒸気レベル、および圧力に少なくとも基づいて乾燥モル分率値を特定する工程；および
水蒸気、温度、および圧力に由来する蓄積効果について補正せずに、乾燥モル分率に基づいてガスフラックスを特定する工程
を含む方法。
【手続補正２】
【補正対象書類名】明細書
【補正対象項目名】００１７
【補正方法】変更
【補正の内容】
【００１７】
図面および特許請求の範囲を含めて本明細書の残りの部分を参照すれば、本発明の他の特徴および利点について理解するであろう。本発明のさらなる特徴および利点は、本発明の様々な態様の構造および動作と同様に、添付の図面と関連して以下において詳細に説明する。図面において、似たような参照番号は、同一の要素または機能的に類似した要素を示す。
[本発明1001]
a）検出器を備える検出器部分と；
b）光源を備える放射源部分と；
c）ガスフローチャンネルを画定するハウジング構造であって、該光源からの光が、光路に沿って該ガスフローチャンネルを通って該検出器部分に到る、ハウジング構造；
ガス入口ポート；
ガス出口ポートであって、該入口および出口ポートが、該ハウジング構造に位置している、ガス出口ポート；
該フローチャンネルを流れるガスの温度を測定するように適合された第一温度センサー；および
該ガスフローチャンネルにおける該ハウジング構造の内部点に位置する圧力センサーであって、該フローセル中の内部点におけるガスの圧力を測定するように適合された、圧力センサー
を備える、該放射源部分と該検出器部分との間に取り外し可能に配置された取り外し可能なガスセルと
を含む、ガス分析器。
[本発明1002]
取り外し可能なガスセルが、出口ポートの近位に位置する第二温度センサーをさらに備え、前記第一温度センサーは入口ポートの近位に位置している、本発明1001のガス分析器。
[本発明1003]
a）検出器を備える検出器部分と；
b）光源を備える放射源部分と；
c）ガスフローチャンネルを画定するハウジング構造であって、該光源からの光が、光路に沿って該ガスフローチャンネルを通って該検出器部分に到る、ハウジング構造；
ガス入口ポート；
ガス出口ポートであって、該入口および出口ポートが、該ハウジング構造に位置している、ガス出口ポート；
該入口ポートの近位に位置する第一温度センサー；および
該出口ポートの近位に位置する第二温度センサー
を備える、該放射源部分と該検出器部分との間に取り外し可能に配置された取り外し可能なガスセルと
を含む、ガス分析器。
[本発明1004]
ガスフローチャンネルにおけるハウジング構造の内部点に位置する圧力センサーであって、フローセル中の内部点におけるガスの圧力を測定するように適合された圧力センサーをさらに備える、本発明1003のガス分析器。
[本発明1005]
第一および第二温度センサー、圧力センサー、ならびに検知器に連結されたインテリジェンスモジュールであって、検出器信号と、該圧力センサーによるガスの圧力ならびに該第一および第二温度センサーによるガスの温度の実質的に同時の測定とに基づいて、フローチャンネル内のガスの成分の乾燥モル分率を特定するように適合されたインテリジェンスモジュールをさらに備える、本発明1004のガス分析器。
[本発明1006]
ガスの圧力ならびに第一および第二温度センサーによるガスの温度の測定が、お互いに約0.2秒以内に行われる、本発明1005のガス分析器。
[本発明1007]
ガスの圧力ならびに第一および第二温度センサーによるガスの温度の測定が、約1.0Hz以上の頻度で行われる、本発明1005のガス分析器。
[本発明1008]
インテリジェンスモジュールが、第一および第二温度センサーから受け取った温度信号の、空間的分離に起因する遅延を補正し、該遅延が、フローチャンネルにおけるガスの流率の関数である、本発明1005のガス分析器。
[本発明1009]
ガスの成分が、CO2およびH2Oを含み、かつ該ガスは空気である、本発明1005のガス分析器。
[本発明1010]
圧力センサーが高速圧力センサーである、本発明1004のガス分析器。
[本発明1011]
取り外し可能なガスセルが、フローチャンネルを画定する少なくともハウジング構造をガス分析器の構成要素から熱的に絶縁するように適合された熱絶縁性スリーブをさらに備える、本発明1003のガス分析器。
[本発明1012]
圧力センサーが高速圧力センサーである、本発明1001のガス分析器。
[本発明1013]
ガス分析器のフローセル中のガスの成分の乾燥モル分率を測定するための方法であって：
該フローセルを通してガスを流す工程；
該フローセル中のガスの成分の光吸光度を測定する工程；
実質的に同時に該フローセルの入口ポートでのガスの温度T1を測定する工程；
実質的に同時に該フローセルの出口でのガスの温度T2を測定する工程；
実質的に同時に該フローセルの内部点でのガスの圧力Pを測定する工程；および
測定された吸光度、P、T1、およびT2に基づいて、ガスの成分の乾燥モル分率を特定する工程
を含む方法。
[本発明1014]
吸光度を特定する工程が、検出器信号と参照信号を比較する工程を含む、本発明1013の方法。
[本発明1015]
吸光度を測定する工程が：
既知の波長域を有する光を、フローセルを通して伝送する工程；
伝送された光を検出器で受ける工程；および
伝送された光の、ガス成分による吸光度を特定する工程
を含む、本発明1013の方法。
[本発明1016]
伝送する工程が、広い波長域または狭い波長域を有する光を、狭い帯域通過のフィルターを通して伝送する工程であって、狭い通過帯域のフィルターは既知の波長域の光の大部分を通過させる、工程を含む、本発明1015の方法。
[本発明1017]
T1、T2、およびPの測定が、お互いに約0.2秒以内に行われる、本発明1013の方法。
[本発明1018]
T1、T2、およびPの測定が、約1.0Hz以上の頻度で行われる、本発明1013の方法。
[本発明1019]
ガスの成分が、CO2およびH2Oを含み、かつ該ガスは空気である、本発明1013の方法。
[本発明1020]
乾燥モル分率を特定する工程が、入口ポートおよび出口ポートから受け取った温度信号の、空間的分離に起因する遅延を補正する工程を含み、該遅延が、フローセル内のガスの流率の関数である、本発明1013の方法。
[本発明1021]
測定された圧力Pが、平均圧力または差圧のうちの一方である、本発明1013の方法。
[本発明1022]
ガスの成分の乾燥モル分率を測定するガス分析システムであって：
入口ポートから出口ポートへと中をガスが流れるフローセルと；
該フローセルを通過して光を伝送するように構成された光源と；
該フローセル中のガスの成分による光吸光度を表す吸光度信号を出力するように構成された検出器サブシステムと；
該フローセルの該入口ポートの近位に位置する第一温度センサーと；
該フローセルの該出口ポートの近位に位置する第二温度センサーと；
該フローセル中の内部点での圧力を測定するように適合された圧力センサーと；
該第一および第二温度センサー、該圧力センサー、ならびに該検知器サブシステムに連結されたインテリジェンスモジュールであって、吸光度信号と、ガスの圧力ならびに該第一および第二温度センサーによるガスの温度の実質的に同時の測定とに基づいて、該成分の乾燥モル分率を特定するように適合された、インテリジェンスモジュールと
を備える、システム。
[本発明1023]
ガスの圧力ならびに第一および第二温度センサーによるガスの温度の測定が、お互いに約0.2秒以内に行われる、本発明1022のシステム。
[本発明1024]
ガスの圧力の測定ならびに第一および第二温度センサーによるガスの温度の測定が、約1.0Hz以上の頻度で行われる、本発明1022のシステム。
[本発明1025]
ガスの成分が、CO2およびH2Oを含み、かつ該ガスは空気である、本発明1022のシステム。
[本発明1026]
フローセルが、光源と検出器サブシステムとの間の構造体に、取り外し可能に取り付けられている、本発明1022のシステム。
[本発明1027]
インテリジェンスモジュールがさらに、第一および第二温度センサーから受け取った温度信号の、空間的分離に起因する遅延を補正するように適合されており、該遅延が、フローセルにおけるガスの流率の関数である、本発明1022のシステム。
[本発明1028]
システムの他の構成要素からフローセルの少なくとも一部を絶縁するように構成された熱絶縁性スリーブをさらに備える、本発明1022のシステム。
[本発明1029]
第一および第二温度センサーのそれぞれが、それぞれのポートによって画定される流路の中心点に位置する熱電対を備える、本発明1022のシステム。
[本発明1030]
ガス分析器システムの光源部分と検出器部分との間に配置されるように適合されている取り外し可能なガスセルであって：
ガスフローチャンネルを画定するハウジング構造と；
該ガスフローチャンネルの一方の端部における第一開口部と；
該ガスフローチャンネルのもう一方の端部における第二開口部であって、該第一および第二開口部は、光源からの光が該セルを通過して該検出器部分に伝わる光路を画定する、第二開口部と；
ガス入口ポートと；
ガス出口ポートであって、該入口および出口ポートは、光軸から外れて該ハウジング構造に位置している、ガス出口ポートと；
該入口ポートの近位に位置する第一温度センサーと；
該出口ポートの近位に位置する第二温度センサーと
を備える、取り外し可能なガスセル。
[本発明1031]
ガスフローチャンネルにおけるハウジング構造の内部点に位置する圧力センサーであって、フローセル中の内部点でのガスの圧力を測定するように適合された圧力センサーをさらに備える、本発明1030の取り外し可能なガスセル。
[本発明1032]
第一および第二温度センサーの少なくとも一方が、それぞれのポートによって画定される流路の中心点に位置する熱電対を備える、本発明1030の取り外し可能なガスセル。
[本発明1033]
ガス分析器システムの光源部分と検出器部分との間に配置されるように適合された取り外し可能なガスセルであって：
ガスフローチャンネルを画定するハウジング構造と；
該ガスフローチャンネルの一方の端部における第一開口部と；
該ガスフローチャンネルのもう一方の端部における第二開口部であって、該第一および第二開口部は、光源からの光がセルを通過して検出器部分に伝わる光路を画定する、第二開口部と；
ガス入口ポートと；
ガス出口ポートであって、該入口および出口ポートは、光軸から外れて該ハウジング構造に位置している、ガス出口ポートと；
該フローチャンネルを流れるガスの温度を測定するように適合された第一温度センサーと；
該フローセル中の内部点におけるガスの圧力を測定するように適合された圧力センサーと
を備える、取り外し可能なガスセル。
[本発明1034]
出口ポートの近位に位置する第二温度センサーをさらに備え、前記第一温度センサーは入口ポートの近位に位置している、本発明1033の取り外し可能なガスセル。
[本発明1035]
第一および第二温度センサーの少なくとも一方が、それぞれのポートによって画定される流路の中心点に位置する熱電対を備える、本発明1034の取り外し可能なガスセル。
[本発明1036]
大気と入口ポートとを連結するガス吸気管であって、約1.0メートル未満の長さを有するガス吸気管をさらに備える、本発明1033の取り外し可能なガスセル。
[本発明1037]
大気と入口ポートとを連結するガス吸気管であって、約1.0メートル未満の長さを有するガス吸気管をさらに備える、本発明1030の取り外し可能なガスセル。
[本発明1038]
大気とガス入口ポートとを連結するガス吸気管であって、約1.0メートル未満の長さを有するガス吸気管をさらに備える、本発明1001のガス分析器。
[本発明1039]
検出器部分の近位に第一光学窓と、放射源部分の近位に第二光学窓とをさらに備え、該第一および第二光学窓が、該放射源部分および該検出器部分内の構成要素のための気密封止を提供する、本発明1001のガス分析器。